(57)【特許請求の範囲】
【請求項１】
共通収束点に向けられた治療放射線源の配列と、
前記共通収束点から離間された撮像点のまわりの領域の容積測定画像の作成を可能にするために同期して移動可能な調査用放射線源と調査用放射線源のための検出器であって、前記共通収束点に対して固定された台によって支持される、調査用放射線源と調査用放射線源のための検出器と、
撮像のための第１の位置と、前記撮像点と前記共通収束点との間の変位に等しい変位だけ前記第１の位置から変位された治療のための第２の位置との間で移動可能な患者位置決めシステムとを備え、
前記第１の位置と前記第２の位置との間の前記患者位置決めシステムの移動を許容するために、前記調査用放射線源と前記検出器の前記移動を可能にするように、前記調査用放射線源と前記検出器は、前記台と前記調査用線源と前記検出器との間の関節式連結によりさらに支持される放射線治療装置。
【請求項２】
前記線源がコバルト−６０線源である、請求項１に記載の放射線治療装置。
【請求項３】
前記関節式連結が、その両端に前記調査用線源と前記検出器とが装着されたＣアームを備える、請求項１または２に記載の放射線治療装置。
【請求項４】
前記Ｃアームがリニア・アクチュエータによって前記台に取り付けられる、請求項３に記載の放射線治療装置。
【請求項５】
前記Ｃアームが回転関節によって前記台に取り付けられる、請求項３に記載の放射線治療装置。
【請求項６】
前記関節式連結が前記台から前記回転関節に延びるアームをさらに備え、それによって前記台から前記回転関節を離間する、請求項５に記載の放射線治療装置。
【請求項７】
前記アームがリニア・アクチュエータによって前記台に取り付けられる、請求項６に記載の放射線治療装置。
【請求項８】
前記リニア・アクチュエータが、前記アームが前記患者支持体と前記治療線源の配列との間に位置する第１の位置と、前記アームが前記患者支持体と前記治療線源の配列との間の前記空間から離れている第２の位置とから前記アームを移動させるように構成される、請求項７に記載の放射線治療装置。
【請求項９】
前記アームが別の回転関節によって前記台に取り付けられる、請求項６に記載の放射線治療装置。
【請求項１０】
前記別の回転関節が、前記アームが前記患者支持体と前記治療線源の配列との間に位置する第１の位置と、前記アームが前記患者支持体と前記治療線源の配列との間の前記空間から離れている第２の位置と、から前記アームを移動させるように構成される、請求項９に記載の放射線治療装置。
【請求項１１】
複数の調査用放射線源を含む、請求項１から１０のいずれか一項に記載の放射線治療装置。
【請求項１２】
前記患者支持体の前記位置を調整するための調整手段をさらに備える、請求項１から１１のいずれか一項に記載の放射線治療装置。
【請求項１３】
前記容積測定画像から定位情報を決定するための手段と、指定されたターゲティング場所と実際のターゲティング場所との間の不一致を解消するように前記定位情報に従って前記手段を制御する制御手段とをさらに備える、請求項１２に記載の放射線治療装置。
【請求項１４】
前記調整手段が前記調査用線源と前記検出器の移動に従って前記患者支持体の前記位置を調整するように構成される、請求項１２または１３に記載の放射線治療装置。
【請求項１５】
前記調査用線源と前記検出器が回転して移動する、請求項１４に記載の放射線治療装置。
【請求項１６】
前記調査用線源と前記検出器が角度φだけ移動し、前記調整手段が、ｋｓｉｎ（φ＋α）に比例する距離だけ前記患者支持体を直線的に移動させ、式中ｋとαとは定数である、請求項１５に記載の放射線治療装置。
【請求項１７】
前記調整手段が、前記患者支持体を全体的に前記検出器に向かって一方向に移動させるように構成される、請求項１４から１６のいずれか一項に記載の放射線治療装置。
【請求項１８】
前記患者支持体内の患者を表示するように設置された光検出器をさらに備える、請求項１から１７のいずれか一項に記載の放射線治療装置。
【請求項１９】
前記光検出器が、前記患者支持体に固着されたアームに装着される、請求項１８に記載の放射線治療装置。
【発明の詳細な説明】
【技術分野】
【０００１】
本発明は、患者の非侵襲的照射治療のための画像誘導システムに関する。
【背景技術】
【０００２】
歴史的に、頭蓋病変の治療は、最初は、頭蓋骨に作られた開口を通して脳組織にアクセスするという外科的プロセスによって前進した。明らかに、このような手術には非常な正確さが必要とされ、この目的のために定位フレームがＬａｒｓ  Ｌｅｋｓｅｌｌによって１９４０年代後半に開発された。この定位フレームは、手術するべきものの内部に正確な基準フレームを設けることによって外科医を支援するものであった。典型的には、定位フレームは、局所麻酔下で軟らかい解剖学的構造を貫通して骨に当接するピンによって患者に装着され、頭蓋骨である剛体に対して固定された基準フレームを提供する。人体が普通に動く間に頭蓋骨内の脳組織が比較的小さな動きを示すことを考えると、これにより、脳組織とその関連する構造体とに対する外科用器具の正確な位置決めが可能となった。
【０００３】
Ｌｅｋｓｅｌｌは、次いで、頭蓋内手術の適用範囲を、頭蓋底など、手術方法によって達するのが困難な区域に拡大しようと努めた。そのために、Ｌｅｋｓｅｌｌは、多線源放射線治療装置であるガンマ・ナイフを開発した。ガンマ・ナイフは、通常は半球形または円筒形をした、固定された支持体に装着された２０１個のＣｏ６０線源を備える。線源は、支持体のまわりに分布され、各線源は、定められた単一の点に向けられたビームを生成するように視準される。したがって、その点における総線量はすべての線源によって提供されるが、その点から離れると、総線量は最大でも、１つまたはごく少数の線源からの線量である。
【０００４】
ガンマ・ナイフによる治療を続行するために、定位フレームは、デバイスに対して患者（したがって病変）の位置を固定するために患者の骨の解剖学的構造に付着される。フレームが所定位置にある間、治療されるべき病変（以下、ターゲットと呼ばれる）の体積がコンピュータ断層撮影（ＣＴ）と磁気共鳴映像法（ＭＲＩ）などの画像診断法を使用して突き止められ、その後、定位座標がフレームに関連付けられる。ターゲットの治療は、その後、照射ユニットに対するフレーム（患者に付着された状態で）の慎重な位置決めによって達成される。したがって、フレームは、頭蓋内病変に対する治療過程の長期にわたる重要な一部である。
【０００５】
定位フレームの使用には、以下の２つの大きな欠点がある。
（ｉ）フレームは侵襲性が高く、長期間所定の位置にあることができない。したがって、分割治療と通常呼ばれる、長期の時間経過（複数日）にわたる複数回の曝露を必要とする治療に容易に使用できない。これは、単一線量で治療され得る病変に比べて、治療され得る病変のタイプを制限する。
（ｉｉ）この手法は、デバイスと、関連するターゲットおよび周辺の正常な解剖学的構造との間の厳密な変換を想定する。これは、頭蓋骨内の病変に関しては妥当な想定であるが、首と肩上部などのより広い区域に適用される場合には当てはまらない。したがって、これも、剛体として治療され得る体積内の病変に比べて、治療され得る病変のタイプを制限する。
【発明の概要】
【課題を解決するための手段】
【０００６】
本発明は、脳、目、頭頸部の領域、すなわち多線源ユニットにアクセス可能なすべての領域で、かつ必ずしも頭蓋骨と共に剛体として作用する領域でない領域の癌病変などの疾患の非侵襲的照射治療に適した多線源照射ユニット用の容積測定に基づく（ｖｏｌｕｍｅｔｒｉｃ−ｂａｓｅｄ）Ｘ線画像誘導システムを提供しようと試みるものである。位置精度を得るために画像誘導を信頼することによって、定位フレームが不必要にされることができる。患者の解剖学的構造の固定化のいくつかの形が必要とされる可能性がある。この目的で定位フレームが使用されても良いが、唯一の選択肢である必要はない。ＷＯ９６／０３６２９２Ａ１に開示されている侵襲性が低い顎型クランプなどの代替形の固定が適切なことがある。
【０００７】
このような固定方法は、患者が放射線治療装置に戻るときに同じ位置の再現性を提供しなくても良いが、位置の再現性は画像誘導システムによって補われることができる。実際は、固定システムは、基準空間フレームを提供するのではなく、治療中に患者を動かさずにおくだけでよい。
【０００８】
したがって、多線源照射作業への撮像誘導システムの組み込みは、（ｉ）より長期間にわたって続き、したがってある病変に対する治療の生物学的影響を潜在的に増加させることがある非侵襲的治療と、（ｉｉ）より広い区域、すなわち頭部と、頸部と、潜在的には肩上部の区域とにわたって適用され得る非侵襲的治療と、（ｉｉｉ）治療過程を通してターゲットのより正確な位置特定を可能とする。
【０００９】
もちろん、多線源照射作業への撮像誘導システムの組み込みを行うには問題がある。具体的には、ガンマ・ナイフの幾何学的形状は、画像誘導システムの提供に適していない。患者のまわりの線源の配列と、関連するシールドと、コリメーションとが、現在利用可能な任意の形の撮像を妨害する。
【００１０】
したがって、本発明は、それぞれ固定された場所にあって共通収束点に向けられた治療放射線源の配列と、共通収束点から離間された撮像点周囲の領域の容積測定（ｖｏｌｕｍｅｔｒｉｃ）画像の作成を可能にするために同期して移動可能な調査用放射線源と調査用放射線源のための検出器であって、その移動を可能にするように、共通収束点に対して固定された台、および台（ｍｏｕｎｔ）と調査用線源と調査用放射線源のための検出器との間の関節式連結（ａｒｔｉｃｕｌａｔｉｏｎ）によって支持される調査用放射線源と調査用放射線源のための検出器と、第１の位置と、撮像点と共通収束点との間の変位に等しい変位だけ第１の位置から変位された第２の位置とから割り出し可能な（ｉｎｄｅｘａｂｌｅ）患者支持体とを備える放射線治療装置を提供する。
【００１１】
このようにして、患者は、患者位置決めシステム上で所定の位置にある間に撮像され、その後、既知の変位だけ治療線源の配列に移動されることができる。変位が既知であり、したがって容積測定画像に対する収束点の場所が分かるので、位置の精度は維持される。容積測定画像の１つまたは複数の特徴を収束点により登録するための小さな調整は、患者支持体などによって行われることができる。
【００１２】
Ｃｏ６０線源は十分に特徴付けられ、信頼性が証明されているので、治療放射線源は、Ｃｏ６０線源とすることができる。あるいは、他の線源が用いられることができる。
【００１３】
関節式連結は、撮像システムが初期撮像ステップ中に治療システムの前に配置され、その後、（通常は）半球状または円筒状の治療体積へのアクセスを可能とするために遠ざけられることを可能とする部分である。これらの関節式連結は、好ましくは、その両端に調査用線源と検出器とが装着されたＣアームを備える。Ｃアームは、たとえばこのような移動を空間効率の良いように可能にするために、リニア・アクチュエータを含む１つまたは複数の連結機構によって台に取り付けられることができる。
【００１４】
別法として、またはこれに加えて、Ｃアームは回転関節（ｒｏｔａｔｉｏｎａｌ  ｊｏｉｎｔ）によって台に取り付けられることができる。アームが回転関節のみによって取り付けられている場合、関節式連結は、台から回転関節に延び、それによって回転関節を台から距離をあけて配置し、かつ容積測定画像に必要なデータを収集し、Ｃアーム構造体を治療体積の邪魔にならないように配置するためにＣアームが回転されることを可能とするアームをさらに備えることが好ましい。
【００１５】
あるいは、アームは、リニア・アクチュエータによって台に取り付けられることができる。このようにして、リニア・アクチュエータはＣアームを邪魔にならないように片付ける（ｃｌｅａｒ）ために用いられ、回転関節は、容積測定画像を生成するために必要に応じて撮像システムを回転させるために用いられることができる。したがって、リニア・アクチュエータは、アームが患者支持体と治療線源の配列との間に位置する第１の位置と、アームが患者支持体と治療線源の配列との間の空間から離れている第２の位置とからアームを移動させるように構成されることができる。
【００１６】
他の代替例では、アームは別の回転関節によって台に取り付けられることができる。この回転関節は、リニア・アクチュエータが、アームが患者支持体と治療線源の配列との間に位置する第１の位置と、アームが患者支持体と治療線源の配列との間の空間から離れている第２の位置とからアームを移動させるように構成されることができる。
【００１７】
したがって、本発明は、ターゲット部位に関する定位情報を決定するために容積測定画像が解析され、指定されたターゲティング場所と実際のターゲティング場所との間の不一致を解消するようにこの定位情報に従って患者支持体の位置が調整されることを可能とする。そうするために、好ましくは、適切な制御手段が提供される。
【００１８】
調整手段は、調査用線源と検出器の移動に従って患者支持体の位置を調整するように構成されることができる。この調整手段は、患者を調査システムの撮像視野内に保ちながら、調査用線源と検出器が患者支持体のまわりを回転するときに調査システムに対応するのに役立つことがある。一般に、調査用線源と検出器とは、角度φだけ回転して移動し、その場合、調整手段は好ましくは、ｋ．ｓｉｎ（φ＋α）に比例する距離だけ患者支持体を直線的に移動させ、式中、ｋとαとは定数である。検出器に向かっての患者支持体の移動は、調査システムの有用な撮像視野内に患者を保つのに役立つので好ましい。
【００１９】
したがって、本発明は、頭蓋と頭頸部の病変の高精度治療が可能なロボット駆動放射線源を備える多線源照射サブシステムと、高分解能（１００μｍ）撮像が可能だが、高分解能撮像を含むだけに限定されない、１つまたは複数の放射線検出器とＸ線管とを備える容積測定Ｘ線撮像サブシステムと、患者位置決めサブシステムと、これらのサブシステム間での定位情報の通信を行うための制御システムとを備える、画像誘導による非侵襲的多線源照射システムを可能とする。
【００２０】
このような容積測定撮像サブシステムは、撮像視野のすべての点において１００μｍに近い分解能で高い幾何学的忠実度（相対的なものと絶対的なもの）を有する再構築された画像を生成することができる。画像取得軌道（ｉｍａｇｅ  ａｃｑｕｉｓｉｔｉｏｎ  ｔｒａｊｅｃｔｏｒｙ）（回転と平行移動（ｔｒａｎｓｌａｔｉｏｎ））は、空間分解能と撮像視野に合致する性能によって決定されることができる。
【００２１】
これらの画像から決定されるターゲット定位情報は、適切な電子的手段によってシステムの制御システムに転送されるかまたは他の方法で通信されることができ、指定されたターゲティングと実際のターゲティングとの間の不一致は、線源とシールドと患者との相対的な複合移動によって解消されることができる。このプロセスは、理想的には、照射プロセスの前とその間とその後の内部ターゲットの位置決めとモニタリングに有効である。
【００２２】
第２の光学的モニタリング・サブシステムは、照射基準フレーム内の対象と患者の内部解剖学的構造の外部代用品の相対的位置の時間的な高分解能モニタリングを実現するために、ユニットと一体化されることができる。したがって、上記で定義された放射線治療装置は、患者支持体内の患者を表示するように設置された光検出器をさらに備えることができる。
【００２３】
この光検出器は、ステレオ・ビデオ・カメラなどのビデオ・カメラとすることができる。光検出器は、好ましくは、患者支持体に固着されたアームに装着される。その目的は、支持体に対する患者の移動を検出することであり、したがって患者支持体自体に光検出器を装着することは、移動の検出をかなり簡単にする。アームは、患者の進入と退出とを助けるために関節式に連結される（ａｒｔｉｃｕｌａｔｅｄ）ことができる。
【００２４】
本発明の一実施形態は、添付の図を参照して例によって説明される。
【図面の簡単な説明】
【００２５】
【図１】制御システムを示す図である。
【図２】軌道回転するＣアームＸ線撮像構成の概略図である。
【図３】撮像サブシステムを装着するために使用可能な軸受の場所の概要を示すユニット全体の座標系の概略図である。
【図４】ユニット上の所定位置にある図１のＣアームを示す図である。
【図５】角度回転と傾斜角とを有するＣアームＸ線撮像構成の概略図である。
【図６】回転された状態にある図５のＣアームを示す図である。
【図７ａ】リニア・レールに装着されたＸ線管−検出器システムの、それぞれ正面から、および側面からの概略図である。
【図７ｂ】リニア・レールに装着されたＸ線管−検出器システムの、それぞれ正面から、および側面からの概略図である。
【図８ａ】放射線ユニットの前面に付着された図７ａと図７ｂのシステムを示す図である。止められた（ｐａｒｋｅｄ）またはしまい込まれた（ｓｔｏｗｅｄ）状態のシステムを示す。
【図８ｂ】放射線ユニットの前面に付着された図７ａと図７ｂのシステムを示す図である。作動中または展開された状態のユニットを示す。
【図８ｃ】放射線ユニットの前面に付着された図７ａと図７ｂのシステムを示す図である。動作中のユニットを示す。
【図９】放射線ユニットの前面に付着された回転軸受を使用して止められたまたは展開され得るＸ線管−検出器システムの概略図である。
【図１０】回転軸受の構成を示す図である。
【図１１】関係する２つの回転軸受の等角概略図である。
【図１２ａ】止められた位置と種々の展開された位置とにある、リニア・レールに基づいたＸ線システムの描画（ｒｅｎｄｅｒｉｎｇ）である。
【図１２ｂ】止められた位置と種々の展開された位置とにある、リニア・レールに基づいたＸ線システムの描画（ｒｅｎｄｅｒｉｎｇ）である。
【図１２ｃ】止められた位置と種々の展開された位置とにある、リニア・レールに基づいたＸ線システムの描画（ｒｅｎｄｅｒｉｎｇ）である。
【図１２ｄ】止められた位置と種々の展開された位置とにある、リニア・レールに基づいたＸ線システムの描画（ｒｅｎｄｅｒｉｎｇ）である。
【図１３ａ】止められた位置と種々の展開された位置とにある、リニア・レールに基づいたＸ線システムの描画（ｒｅｎｄｅｒｉｎｇ）である。
【図１３ｂ】止められた位置と種々の展開された位置とにある、リニア・レールに基づいたＸ線システムの描画（ｒｅｎｄｅｒｉｎｇ）である。
【図１３ｃ】止められた位置と種々の展開された位置とにある、リニア・レールに基づいたＸ線システムの描画（ｒｅｎｄｅｒｉｎｇ）である。
【図１３ｄ】止められた位置と種々の展開された位置とにある、リニア・レールに基づいたＸ線システムの描画（ｒｅｎｄｅｒｉｎｇ）である。
【図１４ａ】変化する線源−回転軸距離と検出器距離、固定された対象対動いている対象とを含む種々の単一平面取得軌道（ｓｉｎｇｌｅ−ｐｌａｎｅ  ａｃｑｕｉｓｉｔｉｏｎ  ｔｒａｊｅｃｔｏｒｙ）を示す図である。
【図１４ｂ】変化する線源−回転軸距離と検出器距離、固定された対象対動いている対象とを含む種々の単一平面取得軌道（ｓｉｎｇｌｅ−ｐｌａｎｅ  ａｃｑｕｉｓｉｔｉｏｎ  ｔｒａｊｅｃｔｏｒｙ）を示す図である。
【図１４ｃ】変化する線源−回転軸距離と検出器距離、固定された対象対動いている対象とを含む種々の単一平面取得軌道（ｓｉｎｇｌｅ−ｐｌａｎｅ  ａｃｑｕｉｓｉｔｉｏｎ  ｔｒａｊｅｃｔｏｒｙ）を示す図である。
【図１４ｄ】変化する線源−回転軸距離と検出器距離、固定された対象対動いている対象とを含む種々の単一平面取得軌道（ｓｉｎｇｌｅ−ｐｌａｎｅ  ａｃｑｕｉｓｉｔｉｏｎ  ｔｒａｊｅｃｔｏｒｙ）を示す図である。
【図１５ａ】変化する線源−回転軸距離と検出器距離、固定された対象対動いている対象とを含む種々の単一平面取得軌道（ｓｉｎｇｌｅ−ｐｌａｎｅ  ａｃｑｕｉｓｉｔｉｏｎ  ｔｒａｊｅｃｔｏｒｙ）を示す図である。
【図１５ｂ】変化する線源−回転軸距離と検出器距離、固定された対象対動いている対象とを含む種々の単一平面取得軌道（ｓｉｎｇｌｅ−ｐｌａｎｅ  ａｃｑｕｉｓｉｔｉｏｎ  ｔｒａｊｅｃｔｏｒｙ）を示す図である。
【図１５ｃ】変化する線源−回転軸距離と検出器距離、固定された対象対動いている対象とを含む種々の単一平面取得軌道（ｓｉｎｇｌｅ−ｐｌａｎｅ  ａｃｑｕｉｓｉｔｉｏｎ  ｔｒａｊｅｃｔｏｒｙ）を示す図である。
【図１５ｄ】変化する線源−回転軸距離と検出器距離、固定された対象対動いている対象とを含む種々の単一平面取得軌道（ｓｉｎｇｌｅ−ｐｌａｎｅ  ａｃｑｕｉｓｉｔｉｏｎ  ｔｒａｊｅｃｔｏｒｙ）を示す図である。
【図１５ｅ】変化する線源−回転軸距離と検出器距離、固定された対象対動いている対象とを含む種々の単一平面取得軌道（ｓｉｎｇｌｅ−ｐｌａｎｅ  ａｃｑｕｉｓｉｔｉｏｎ  ｔｒａｊｅｃｔｏｒｙ）を示す図である。
【図１５ｆ】変化する線源−回転軸距離と検出器距離、固定された対象対動いている対象とを含む種々の単一平面取得軌道（ｓｉｎｇｌｅ−ｐｌａｎｅ  ａｃｑｕｉｓｉｔｉｏｎ  ｔｒａｊｅｃｔｏｒｙ）を示す図である。
【図１６ａ】変化する線源−回転軸距離と検出器距離、固定された対象対動いている対象とを含む種々の単一平面取得軌道（ｓｉｎｇｌｅ−ｐｌａｎｅ  ａｃｑｕｉｓｉｔｉｏｎ  ｔｒａｊｅｃｔｏｒｙ）を示す図である。
【図１６ｂ】変化する線源−回転軸距離と検出器距離、固定された対象対動いている対象とを含む種々の単一平面取得軌道（ｓｉｎｇｌｅ−ｐｌａｎｅ  ａｃｑｕｉｓｉｔｉｏｎ  ｔｒａｊｅｃｔｏｒｙ）を示す図である。
【図１６ｃ】変化する線源−回転軸距離と検出器距離、固定された対象対動いている対象とを含む種々の単一平面取得軌道（ｓｉｎｇｌｅ−ｐｌａｎｅ  ａｃｑｕｉｓｉｔｉｏｎ  ｔｒａｊｅｃｔｏｒｙ）を示す図である。
【図１６ｄ】変化する線源−回転軸距離と検出器距離、固定された対象対動いている対象とを含む種々の単一平面取得軌道（ｓｉｎｇｌｅ−ｐｌａｎｅ  ａｃｑｕｉｓｉｔｉｏｎ  ｔｒａｊｅｃｔｏｒｙ）を示す図である。
【図１６ｅ】変化する線源−回転軸距離と検出器距離、固定された対象対動いている対象とを含む種々の単一平面取得軌道（ｓｉｎｇｌｅ−ｐｌａｎｅ  ａｃｑｕｉｓｉｔｉｏｎ  ｔｒａｊｅｃｔｏｒｙ）を示す図である。
【図１７ａ】２つの線源による、３６０°の画像取得幾何学的形状の平面図である。
【図１７ｂ】２つの線源による、３６０°の画像取得幾何学的形状の平面図である。
【図１７ｃ】２つの線源による、３６０°の画像取得幾何学的形状の平面図である。
【図１７ｄ】２つの線源による、３６０°の画像取得幾何学的形状の平面図である。
【図１８】それぞれ側面と背面とに対して患者とフレームとに配置されたマーカを３Ｄで追跡可能なリアルタイム光学的モニタリング・システムの概略図である。
【図１９】それぞれ側面と背面とに対して患者とフレームとに配置されたマーカを３Ｄで追跡可能なリアルタイム光学的モニタリング・システムの概略図である。
【発明を実施するための形態】
【００２６】
本発明の目的は、オンライン撮像とターゲット位置特定のために多線源ガンマ線照射ユニットと一体化され得る容積測定Ｘ線撮像システムを設計することである。
【００２７】
本発明は、照射ユニットまたは近くの構造体に装着され、かつ二次元画像の迅速な回転、取得と三次元画像の再構成とが可能なＸ線管／検出器サブシステムによって、この目的を達成する。検出器は、好ましくは方形面を有し、その長さと幅とがそれぞれコーン・ビームの角度とファン・ビームの角度とを画定する。デバイスの回転はカウチの長軸として画定されたｚ軸のまわりで実施され、検出器の長辺（コーン角）は回転面と平行である。容積測定撮像サブシステムは、高レベルの精度を維持しながら、小型で、多線源照射ユニットの仕様に適合するようになされるべきである。これらの制約下で、撮像サブシステムの種々の実施形態が可能である。
【００２８】
システム全体の制御構造の概略と、一体化された撮像誘導システムの概要とが図１に示されている。制御システムは、幾何学的目標と線量測定目標（ｄｏｓｉｍｅｔｒｉｃ  ｏｂｊｅｃｔｉｖｅ）とに基づいて、容積測定撮像サブシステムとリアルタイム・モニタリング・サブシステムから照射サブシステムへのデータを処理する。データの流れは双方向であり、制御システムへの流れと制御システムからの流れがある。容積測定撮像サブシステムとリアルタイム・モニタリング・サブシステムからのデータは制御システムに供給され、その後、幾何学的目標と線量測定目標の要求を参照して患者の位置または線源構成を更新しても良い。
【００２９】
説明されるべき第１の実施形態は、ｚ軸のまわりの軌道回転を有する、図２〜図４に示されるＣアーム・システムである。この状況における軌道回転は、図３と図４とから明らかなように、Ｃアームの円周の方向における回転をいう。Ｃアームの性質によって課される制約を考えると、約１９５°の回転が可能である。この実施形態の状況における角度回転は、Ｃアームの円周方向に垂直な−すなわちｚ軸のまわりの回転をいう。
【００３０】
したがって、この実施形態は、台１２上に支持されたＣアーム１０を用いる。Ｃアームは部分円形であり、台１２内のリニア・アクチュエータ上に支持される。これは、Ｃアーム１０が、Ｃアーム１０の角度θの必要な回転を生じるように台１２内で摺動することを可能とする。Ｃアーム１０の両端には、診断線源１４と二次元フラット・パネル検出器１６とがある。Ｃアームが回転するとき、線源１４と検出器１６とは、名目上１８０°の円弧を掃引する。
【００３１】
図３は、治療放射線ユニット１８を示す。Ｃｏ６０線源の配列がコリメータのまわりに円筒状配列をなして構成される（図示せず）。コリメータは、事実上円筒状であり、内部に複数のコリメータ穴が線源ごとに１つまたは複数個形成された、タングステンからなる中実部である。この穴は、各穴が単一の共通収束点に向くような角度であり、このことは、この収束点が実質上すべての線源から非常に高い線量を受け取ることを意味する。線源は、患者が位置合わせされている間に放射線源を遮蔽するために、関連する１つまたは複数のコリメータ穴から遠ざけられ、その後、線量を投与するための場所に移動されることができる。開口２０は、治療線量の投与を可能とするために放射線ユニット１８内に患者の頭部領域を配置されることを可能とする。台１２は、１２ａに示される開口の上に、または開口１２ｂの下などに配置されることができる。図４は、開口２０の下の１２ｂにおいて装着された、所定位置にあるシステムを示す。患者２２は、患者支持体２４上に支持される。この支持体は、患者２２の頭部をＣアーム１０の円弧内に配置するように位置付けされている。したがって、Ｃアーム１０の回転によって、患者の容積測定ＣＴ画像が作成されることができる。患者支持体はその後、患者２２が開口２０の中へ突き出し、かつその頭部が治療用放射線ユニット内にある別の位置に割り出されることができる。
【００３２】
患者の移動が完全に患者支持体２４の制御下にあると考えると、変位が分かり、容積測定ＣＴ画像は患者２２の現在の位置と関連付けられることができる。このため、患者支持体２４による患者位置の微調整により、ターゲット構造体がアイソセンタすなわち放射線ユニットの収束点に配置され、治療が可能とされることが可能となる。
【００３３】
Ｃアームの円周に応じて、必要な向きが照射ユニットおよび／または患者支持体２４の位置決めによって制限または防止されても良い。考えられる解決方法は、図３に示されるように、ｙｚ平面において傾斜角を用いることである。Ｃアーム２６は、今度は、図５に示される位置と図６に示される位置との間（それらの間で１８０゜回転する）での線源３２と検出器３４の回転ができるようにするために回転関節３０によって支持アーム２８に装着される。支持アーム２８は、Ｃアーム２６を放射線ユニット１８の前方に位置付け、線源３２と検出器３４の撮像平面（ｐｌａｎｅ  ｏｆ  ｖｉｅｗ）が前方に傾斜される。したがって、この性質の回転は、患者の頭部のＣＴ画像が取得されることを可能とする。
【００３４】
Ｃアームの軌道回転の場合に回転角度が潜在的に制限され、Ｃアームの角度回転の場合に空間が制約されるため、Ｘ線撮像システムの他の実施形態が図７と図８とに示されている。この変形形態では、Ｘ線管（線源）１００と検出器１０２とが回転ガントリ１０４に沿って接続され、回転ガントリ１０４はベルト駆動回転軸受１０８によって支持アーム１０６に装着される。支持アーム１０６は、支持アーム１０６全体部の水平運動を可能とするリニア軸受１１２によって照射ユニット１１０に装着される。これは、システムが必要に応じて止められるまたは展開されることを可能とする。
【００３５】
したがって、図７ａと図７ｂとに示されるように、線源１００によって放射されて検出器１０２によって検出されるコーン・ビームは、患者の頭部１１４の全体的な体積を包含することが可能である。その後、軸受１０８のまわりでのガントリ１０４の回転は、いくつかのこのような画像が収集され、容積測定ＣＴ画像が作成されることを可能とする。
【００３６】
（患者に対して）この位置にあるので、ガントリ１０４と、線源１００と、検出器１０２とは、患者の画像を取得するために理想的に配置されるが、また、照射ユニット１１０へのアクセスをブロックするように位置決めされる。したがって、リニア軸受１１２は、サブアセンブリ全体が、図８ａに示される照射ユニット１１０のアクセス開口１１６から離れて位置するように、サブアセンブリ全体が片側に移動されることを可能とし、それにより、患者支持体上の患者は、既知の変位だけ前方に割り出されて照射ユニット１１０に入ることが可能となる。必要なときに、リニア軸受１１２は、サブアセンブリをアクセス開口１１６の前に配置して画像を取得するように動作されることができる。
【００３７】
図８ｃは、アクセス開口１１６の前の所定の位置にあるときに、照射野のまわりの円形経路を回って線源１００と検出器１０２とを担持するために、ガントリ１０４が回転軸受１０８のまわりを回転することができることを示す。
【００３８】
図９〜図１１は、回転軸受に基づいた一実施形態の概略図を示す。ここでも、Ｘ線管（線源）１００と検出器１０２とが回転ガントリ１０４に沿って接続され、回転ガントリ１０４がベルト駆動回転軸受１０８によって支持アーム１０６に装着される。しかし、この実施形態では、支持アーム１０６は、その上端で第２の回転軸受１１８によって照射ユニット１１０に装着され、その上端のまわりでの支持アーム１０６全体の回転を可能とする。これは、システムが必要に応じて止められるまたは展開されることを可能とする。
【００３９】
ビームの幾何学的形状はもちろん、図７ａと図７ｂとに示されるビームの幾何学的形状と同じである。軸受１０８のまわりのガントリ１０４の回転はここでも、いくつかのＸ線像が収集され、容積測定ＣＴ画像が作成されることを可能とする。
【００４０】
ガントリ１０４と、線源１００と、検出器１０２とは、図８ａに示されるように、サブアセンブリ全体が照射ユニット１１０のアクセス開口１１６から離れて位置するようにサブアセンブリ全体を回転させる第２の回転軸受１１８の回転によって、アクセス開口１１６の邪魔にならないように移動されることができる。これは、その後、患者支持体上の患者が既知の変位だけ前方に割り出されて照射ユニット１１０に入ることを可能とする。必要なときに、別の回転軸受１１８は、サブアセンブリをアクセス開口１１６の前に配置して画像を取得するように動作されることができる。
【００４１】
図９は、アクセス開口１１６の前の所定位置にあるときに、照射野のまわりの円形経路を回って線源１００と検出器１０２とを担持するために、ガントリ１０４が回転軸受１０８のまわりを角度θだけ回転することができることも示す。
【００４２】
図１０は、２つの回転軸受１０８、１１８が支持アーム１０６の両端にある構成を示す。別の回転軸受１１８のまわりの回転は、図１０に示される止められた位置と点線で示される展開された位置１２０との間で支持アーム１０６を移動させる。止め具１２２は、固定式割り出し点（ｆｉｒｍ  ｉｎｄｅｘ  ｐｏｉｎｔ）を形成するために、支持アーム１０６が適切な展開された位置１２０にあるときに支持アーム１０６に隣接する照射ユニット１１０上に位置付けされる。止め具１２２は、単に支持アーム１０６のさらなる移動を防ぐ固定式止め具とすることができ、または支持アーム１０６が適切な位置にあるというフィードバックを提供するために近接検出器またはマイクロスイッチなどのアーム１０６用の検出器を組み込むこともできる。
【００４３】
図１１は、どのようにして両方の回転軸受の独立した回転が容易に提供されることができるかを示す。１対の同心のシャフト１２４が設けられることができ、外側シャフトは、支持アーム１０６に取り付けられてこれを駆動するべき別の回転軸受１１８を貫通し、内側シャフトは、別の回転軸受１１８と同心の内側シャフトに装着された支持アーム１０６の前に位置する上部歯車１２６を駆動するために支持アーム１０６を貫通する。その後、これは２つの歯車１２６、１２８を接続するベルト・ドライブまたはチェーン・ドライブ１３２によって、支持アーム１０６の下端で自由に回転するシャフト１３０に装着された下部歯車１２８を駆動する。ガントリ１０４は、その後、自由に回転するシャフト１３０に装着される。
【００４４】
このようにして、両方の回転軸受１０８、１１８は独立して制御されることができる。外側シャフト１２４は支持アーム１０６を回転させてサブアセンブリを所定位置に移動させるかまたは所定位置から移動させるように駆動されることができ、内側シャフト１２４は、ガントリ１０４を回転させるために、サブアセンブリがいったん所定の位置に置かれると駆動されることができる。
【００４５】
もちろん、別の回転軸受１１８が９０°回転した後、上部歯車１２６は、もはや下部歯車１２８の上にないが、その一方にある。別の回転軸受１１８のさらなる回転は、この回転が許可される場合、下部歯車１２８を上部歯車１２６の上に配置する。それにもかかわらず、下部歯車１２８はそのほとんどの時間を上部歯車１２６の下で過ごし、歯車の名前はこのような理由で選定された。歯車の名前は、永続的な空間的関係のいかなる形も意味するものではない。
【００４６】
図１２ａ〜図１２ｄと図１３ａ〜図１３ｄとは、リニア・レールを使用する本発明によるシステムのコンピュータ描画を示し、止められるときと展開されるときのシステムを示す。図１２ａ〜図１２ｄはガントリアームの種々の回転を示し、図１３ａ〜図１３ｄは変化する傾斜の程度を示す。最初に図１２について説明すると、図１２ａは止められたシステムを示し、図１２ｂは回転角０°で展開されたシステムを示す。図１２ｃは小さな回転角で展開されたシステムを示し、図１２ｄは管がカウチに衝突する前に許容される最大の回転角を示す。
【００４７】
したがって、図１２ａは、１つまたは複数の線量を受けるためにそれを通して患者が突き出され得るアクセス開口１５４を含めて、フロント・パネル１５２が示されるガンマ・ナイフ照射装置の前の患者支持体１５０を示す。患者支持体１５０は、患者の肩に合うような形状にされた肩拘束具（ｓｈｏｕｌｄｅｒ  ｒｅｓｔｒａｉｎｔ）１５６を含む。患者は、支持体１５０上に配置され、肩は拘束具１５６のちょうど後ろにある。装置は、拘束具１５６が他の任意の物体にぶつかることを可能とすることなく患者支持体が必要に応じて移動できるようにプログラムされる。患者が拘束具１５６の後ろにあることが分かっていることを考えると、これは、支持体１５０の移動中に患者の肩が任意の物体に当たることを防ぐ。
【００４８】
リニア・アクチュエータ１５８は、照射ユニット１５２の前面に取り付けられる。照射ユニット１５２は、フロント・パネル１５２上の開口１５４の上およびその片側に所定の位置に固定されたレール１６０と、レール１６０に沿って両方向に駆動され得るシャトル（ｓｈｕｔｔｌｅ）１６２とを備える。アーム１６４はシャトル１６２から下方に延び、照射ユニットのアイソセンタと同じ高さのところに回転軸受１６５を有する。ガントリ１６６は回転軸受１６５に取り付けられ、Ｃアームガントリの一般的な形をなすように構成される、すなわち調査用Ｘ線源１６８が一端に、フラット・パネル検出器１７０が他端にある。線源１６８とフラット・パネル検出器１７０とはガントリ１６６の前方に装着され、それらの軸はガントリ１６６と略平行である。したがって、検出器１７０は、線源１６８と検出器１７０との間の開放空間に含まれる任意の物質による減衰後に線源１６８によって放射された放射線を受けるように位置付けされる。
【００４９】
図１２ａは、止められた位置にある装置、すなわちシャトル１６２がレール１６０の一端にあり、開口１５４から離れている状態を示す。図１２ｂは、シャトルがレールに沿って、アーム１６４が開口１５４の真正面に配置され、かつ回転軸受１６５がアイソセンタの真正面に配置される位置に移動された後のシステムを示す。この結果、線源１６８と検出器１７０の回転中心は、長手方向の変位を除いて、アイソセンタと一致する。しかし、その変位は、装置の種々の構成部品の寸法によって固定されるので、分かっている。
【００５０】
アーム１６４とガントリ１６６とは、図１２ｂに示される、回転軸受１６５のまわりの回転がない展開された位置において、検出器１７０が支持体１５０の真上にあるような寸法にされることに留意されたい。したがって、この位置から、ガントリ１６６は、線源１６８と検出器１７０を患者のまわりで回転させるために回転軸受１６５のまわりで回転され、そうするときにさまざまな方向からＸ線像を取得することができる。小さく回転した後、ガントリは図１２ｃに示される位置に到達する。最終的に、ガントリは、図１２ｄに示されるように、線源１６８が支持体１５０にぶつかろうとしている図１２ｄに示される最大角度に到達する。調査用Ｘ線ビームの必要な幅を制限し、それによってその品質を保証するために、線源１６８は、検出器１７０以外のところに、回転軸受１６５から離れて装着される。これは、線源１６８と患者との間の距離を最大にするが、完全な３６０°の回転は可能でないことを意味する。したがって、図１２ｄに示される最大位置まで回転した後、ガントリ１６６は、他の方向における対応する最大点に到達するまで逆方向に回転されることができる。
【００５１】
回転軸受１６５と検出器１７０との間の距離はもちろんアイソセンタと支持体１５０の最上部との間の高さの差によって制限され、その結果、図１２ｂに示され、かつ上述のように、検出器１７０は支持体１５０を片付けることができる。いずれにしても、検出器１７０が患者の下にある限り、正確な距離は重要ではない。（図１２ａに示されるように）デバイスが止められ、検出器が最下部にあり線源が最上部にあるのは、この理由のためである。
【００５２】
このようにして画像が収集された後、画像は、適切な演算手段に渡されて容積測定ＣＴ画像を構築することができる。図１２ａに示されるように装置を止めるために、ガントリ１６６が図１２ｂに示される直立位置に戻され、シャトル１６２がレール１６０に沿って移動されることができる。開口１５４は開いておらず、患者は、患者の頭部と肩を照射ユニット内に配置するために、線源１６８と検出器１７０の回転中心と照射ユニットのアイソセンタとの間の変位に等しい変位だけの支持体１５０の移動によって前方に割り出されることができる。したがって、ここで、容積測定ＣＴ画像の中心にある患者の場所がアイソセンタにくることになる。線量を送達する前に所望の構造体をアイソセンタに配置するように患者支持体１５０によって微調整が行われることができる。このようにして、画像誘導多線源放射線治療が達成される。
【００５３】
図１３ａ〜図１３ｄは、どのようにして傾斜角が組み込まれ得るかを示す他の実施形態を示す。各図は、等角図と側面からの図とを含む。この実施形態では、ガントリ１７２の下端に位置する線源１７０と上端に位置する検出器１７４とを用いる。線源１７０と検出器１７４とは、ガントリアームの３６０°回転を可能とするために、ガントリ１７２が装着される回転軸受１７６から名目上等しい距離に位置する。線源の正確なコーン・ビーム角度に応じて、これは、３６０°回転と引き換えに撮像視野のいくらかの犠牲（またはより広いビームの拡散の受け入れ）を伴うことがある。しかし、この実施形態は、回転軸受が図示のようにガントリ１７２の前傾斜を可能にするための追加の関節式連結を含み、ガントリの上端が照射ユニット１７８からさらに遠くなり下端がさらに近くなるという点で、図１３の実施形態と異なる。これは、線源１７０と検出器１７４の有効な回転中心がガントリアーム１７２の下端に対して前方に移動され、したがって患者の頭部の下を直接通過する必要がないので、患者支持体１８０の下のより良い隙間を可能とする。
【００５４】
図１３ａ〜図１３ｄは、傾斜角を含むシステムの種々の描画を示す。具体的な角度は、以下のとおりである。
【表１】
0005559170.tif 000002
【００５５】
図１２ａ〜図１２ｄを参照して上記で説明された実施形態では、線源と検出器とを備える撮像システムの回転中心を照射システムのアイソセンタと同一線上に（そこから変位されてはいるが）、かつ全体的に、撮像されるべき対象の中央にある配置することを伴っていた。しかし、これは必須ではない。回転軌道に関して、図１４〜図１６に示されるような、単一のＸ線源を使用するいくつかの変形形態が提案されている。図１４ａ〜図１４ｄに示される第１の変形形態では、固定されたアイソセンタ２０４と静止対象２０６のまわりでの線源２００と検出器２０２の単純な回転を伴い、図１２の形態に全体的に対応する。線源−回転軸間距離（ＳＡＤ）は１０００ｍｍであり、回転軸−検出器間距離（ＡＤＤ）は２００ｍｍである。約２８°のファン角と約３７°のコーン角とは、その後に十分である。図に示されるように、２６０°の回転はこの幾何学的形状により可能にされており、その結果得られる倍率は約１．２である。図１４ａ〜図１４ｄは、以下のとおりさまざまな回転角φを示す。
【表２】
0005559170.tif 000003
【００５６】
ここで、φ＝０°は、線源がアイソセンタの真下にある位置として定義される。したがって、止められた位置と、撮像システムが止められた位置に移動する準備ができた位置では、φ＝１８０°は図１４ｄに示されるとおりである。したがって、システムは、パラメータ５０°≦φ≦３１０°内で回転することができる。
【００５７】
上記の構成上の単一線源の一変形形態では、患者と撮像システムとの衝突を回避するために、同時に患者２０６が側方に偏位することを伴う。これらの場合に得られる倍率は、回転角の関数として変化する。図１５ａ〜図１５ｆに示される「管が上（ｔｕｂｅ  ｏｖｅｒ）」設計では、線源は、２８０°の角度まで患者の上を回転する。ＳＡＤは５５０ｍｍ、ＡＤＤは２００ｍｍ、コーン角は約５６°、ファン角は約４４°である。線源と検出器とが、固定された軸のまわりを回転するとき、撮像されている対象２０４は、支持体２０８を操作することによって、関数ｘ偏位＝−４０ｓｉｎ（φ）として検出器に向かってｘ方向に移動され、それにより、２７０°または９０°の角度で、最大の偏位が生じる（±４０ｍｍ）。この式の一般的な形はもちろんｘ偏位＝ｋｓｉｎ（φ＋α）であり、式中、ｋとαとは、定数である。Ｋは装置の規模によって決まり、αはφ＝０°に選定された向きによって決まる。
【００５８】
図１５ａ〜図１５ｆは、以下のとおりさまざまな回転角を示す。
【表３】
0005559170.tif 000004
【００５９】
上表から、撮像されるべき対象を偏位することは、使用可能な空間とビームの回転に制約があるにもかかわらず、その対象の大部分がコーン・ビーム内に残ることを可能とすることが分かる。
【００６０】
「管が下（ｔｕｂｅ  ｕｎｄｅｒ）」設計（図１６ａ〜図１６ｅ）では、線源は、患者の下で２４０°の最大角度まで回転する。線源２００を患者２０６の下で適合させることは、撮像システムの幾何学的形状のいくらかの調整を必要とし、この場合、ＳＡＤは３１０ｍｍ、ＡＤＤは３１０ｍｍ、コーン角は約６６°、ファン角は約５２°、拡大係数は１．３２〜２．０である。これは、最大２４０°の回転を可能にする。線源と検出器とが、固定された軸のまわりを回転するとき、この場合もやはり、撮像されている対象２０６は関数ｘ偏位＝１６０ｓｉｎ（φ）として検出器に向かってｘ方向に移動し、それにより、２７０°または９０°の角度で最大の偏位が生じる（１６０ｍｍ）。
【００６１】
図１６ａ〜図１６ｅは、以下のとおりさまざまな回転角を示す。
【表４】
0005559170.tif 000005
【００６２】
上表から、この場合もやはり、撮像されるべき対象を偏位することは、使用可能な空間とビームの回転に制約があるにもかかわらず、その対象の大部分がコーン・ビーム内に残ることを可能とすることが分かる。
【００６３】
図１７に示されるような２つの線源を用いる手法は、線源と検出器の３６０°の回転も容易にする小型線源−検出器の設定を使用しながら、撮像された体積のカバレッジの増加を可能とする。したがって、１対の並んでいる線源２００ａと２００ｂとはそれぞれ、拡散ビームを単一のフラット・パネル検出器２０２に向ける。検出器２０２は一般に２つの線源２００ａ、２００ｂの中間点に合わされ、線源はそれぞれ、他の線源の軸に向かって一方向により広いわずかに非対称的なコーン・ビームを放射し、その結果、それぞれが検出器２０２の区域全体を包含する。これは、２９０ｍｍのＳＡＤと２００ｍｍのＡＤＤとを可能とする。線源は２００ｍｍ離間され、したがって、それぞれは検出器２０２の中心軸から１００ｍｍのところにある。図１７ａ〜図１７ｄは、以下のとおり種々の回転をしているこの構成を示す。
【表５】
0005559170.tif 000006
【００６４】
この幾何学的形状を用いることにより、さらなる小型化が達成され、それが３６０°の回転を可能にする。
【００６５】
上記の実施形態の種々の態様は、もちろん組み合わせることができる。たとえば、説明された種々の回転幾何学的形状はまた、図５、図６、または図１３に示されるような前方に傾斜された線源−検出器回転軸と共に適用されることができる。撮像される体積のカバレッジを最大限にするために、この傾斜角はまた、回転角の関数として変化するように形成されることができる。さらに、図１５と図１１６の可変のｘオフセットは、図１７の二重線源などと組み合わされることができる。
【００６６】
上述のＸ線容積測定撮像サブシステムは、内部の解剖学的構造の位置を正確に突き止めるために使用されることができる。光学的モニタリング・サブシステムも、容積測定撮像を含めて治療過程全体の間の変位の連続的なリアルタイム３Ｄ追跡のために含まれることができる。これは、撮像と治療の間に患者が支持体に対して移動しなかったことを連続して光学的に確認することを可能とする。マーカは、患者と固定フレームとの上に配置されることができ、それらの三次元の位置は光学的システムによって自動的に追跡される。
【００６７】
図１８と図１９は、そのようなシステムを示す。カメラ３００は可撓性アーム３０２に装着され、可撓性アーム３０２は治療カウチ３０４に装着される。したがって、カウチが治療位置または撮像位置に入ってそこから出るときに、一定の固定された基準フレーム・システムがカメラ３００と、患者３０６と、固定フレーム３０８との間に確立される。このサブシステムは、患者の設定と固定化の信頼度と精度の向上をもたらす。可視マーカ３１０、３１２は、画像解析の簡略化を可能とする。別法として、干渉縞が、カメラ３００と同じ場所に位置するプロジェクタなどから、患者３０６上に投影されることができる。これは、患者３０６が移動した場合に表示された画像が劇的に変化するようにする。もちろん、患者３０６を単純に表示して移動を検出することは可能である。
【００６８】
カメラ３００は、より正確な動きの検出を可能とするために立体的であり、支持アーム３０２は、患者３０６の進入と退出の間にカメラが邪魔しないように移動されることを可能とするように一体型の玉継手３１４を用いて可撓性である。
【００６９】
このような視覚システムは、もちろん他の放射線治療および／または撮像システムと共に用いられることができる。
【００７０】
もちろん、本発明の範囲から逸脱することなく、上述の実施形態に数多くの変形が加えられ得ることが理解されよう。たとえば、リニア・アクチュエータまたはリニア・ガイドは、治療室の天井に取り付けられ、直線運動または回転運動を実施することができる。これは、撮像を実施する前に、非常に高い再現性で調査用線源と検出器とを共通収束点に導く。その後、リニア・アクチュエータまたはリニア・ガイドは、患者位置決めシステムが治療焦点に対する患者の相対的な移動を実施することを可能とするために戻されることができる。また、空間が制限されている場合、患者の長軸に沿って患者の必要なすべての部分を撮像するために必要とされるより短い検出器を使用することが必要なことがある。この場合、患者が撮像の間で移動され、拡大された撮像視野を形成するためにいくつかの組の容積測定画像が組み合わされることを必要とする。
【図１】
0005559170.tif 000007
【図２】
0005559170.tif 000008
【図３】
0005559170.tif 000009
【図４】
0005559170.tif 000010
【図５】
0005559170.tif 000011
【図６】
0005559170.tif 000012
【図７ａ】
0005559170.tif 000013
【図７ｂ】
0005559170.tif 000014
【図８ａ】
0005559170.tif 000015
【図８ｂ】
0005559170.tif 000016
【図８ｃ】
0005559170.tif 000017
【図９】
0005559170.tif 000018
【図１０】
0005559170.tif 000019
【図１１】
0005559170.tif 000020
【図１２ａ】
0005559170.tif 000021
【図１２ｂ】
0005559170.tif 000022
【図１２ｃ】
0005559170.tif 000023
【図１２ｄ】
0005559170.tif 000024
【図１３ａ】
0005559170.tif 000025
【図１３ｂ】
0005559170.tif 000026
【図１３ｃ】
0005559170.tif 000027
【図１３ｄ】
0005559170.tif 000028
【図１４ａ】
0005559170.tif 000029
【図１４ｂ】
0005559170.tif 000030
【図１４ｃ】
0005559170.tif 000031
【図１４ｄ】
0005559170.tif 000032
【図１５ａ】
0005559170.tif 000033
【図１５ｂ】
0005559170.tif 000034
【図１５ｃ】
0005559170.tif 000035
【図１５ｄ】
0005559170.tif 000036
【図１５ｅ】
0005559170.tif 000037
【図１５ｆ】
0005559170.tif 000038
【図１６ａ】
0005559170.tif 000039
【図１６ｂ】
0005559170.tif 000040
【図１６ｃ】
0005559170.tif 000041
【図１６ｄ】
0005559170.tif 000042
【図１６ｅ】
0005559170.tif 000043
【図１７ａ】
0005559170.tif 000044
【図１７ｂ】
0005559170.tif 000045
【図１７ｃ】
0005559170.tif 000046
【図１７ｄ】
0005559170.tif 000047
【図１８】
0005559170.tif 000048
【図１９】
0005559170.tif 000049